【手続補正書】
【提出日】平成25年2月15日(2013.2.15)
【手続補正１】
【補正対象書類名】特許請求の範囲
【補正対象項目名】全文
【補正方法】変更
【補正の内容】
【特許請求の範囲】
【請求項１】
被験体の表現型を決定する方法であって、以下の工程を含む方法：
a）i）溶液中に懸濁され、第1の懸濁液を生成する複数のビーズであって、該懸濁液中の各該ビーズが、該ビーズを照らす電磁放射が該複数のビーズの中で独特である蛍光シグナルを該ビーズに放射させる手段を含む、ビーズ、および
ii）該被験体からの核酸を含むか、またはそれを含むことが疑われている試料
を供給する工程；
b）核酸マーカーが該ビーズに連結し得る条件下で、
i）該第1の懸濁液の一部分、および
ii）特定の表現型と相関する核酸にハイブリダイズし得る、第1の核酸マーカー
を一緒に混合し、それによって該マーカーを該部分中の該ビーズに連結する工程；
c）該部分中の該ビーズのそれぞれを単離し、単離されたビーズを作製する工程；
d）該単離されたビーズのそれぞれにより発せられる該蛍光シグナルを検出する工程；
e）該シグナルおよび各該ビーズ上の該核酸マーカーに対する該シグナルの対応を記録し、それぞれが独特な記録された発光電磁コードを有するマーカーを作製する工程；
f）該ビーズを単一の容器内に収集し、その中で該ビーズを洗浄する工程；
g）この方法で前に行った工程で連結させたマーカーとは異なるマーカーを用いて、工程b）からf）を少なくとも1回繰り返す工程；
h）工程g）の後に、該ビーズを一緒に混合し、第2の懸濁液を作製する工程；
i）該試料中の核酸へのハイブリダイゼーションが起こり得るような条件下で、該試料と該第2の懸濁液またはその一部分を混合する工程；
j）各ビーズを単離する工程；
k）各ハイブリダイズしたビーズを検出する工程；
l）各該ハイブリダイズしたビーズ上の該発光電磁コードを決定する工程；
m）該ハイブリダイズしたビーズ上の該発光電磁コードを、該記録されたコードと比較する工程；ならびに
n）該被験体における該表現型に対して、該記録されたコードを相関させる工程。
【請求項２】
発光電磁コードが3つより多くの識別可能な電磁波長を含む、請求項1記載の方法。
【請求項３】
発光電磁コードが10個より多くの識別可能な電磁波長を含む、請求項1記載の方法。
【請求項４】
電磁波長が個別の視覚色である、請求項1記載の方法。
【請求項５】
ビーズの数が1,000,000個を超える、請求項1記載の方法。
【請求項６】
核酸マーカーが1000種の異なるマーカーを含む、請求項1記載の方法。
【請求項７】
ビーズがビオチン-ストレプトアビジン相互作用によって核酸に連結される、請求項1記載の方法。
【請求項８】
表現型が疾患である、請求項1記載の方法。
【請求項９】
被験体がヒトである、請求項1記載の方法。
【請求項１０】
a）第1の発光標識および第2の発光標識を含む第1のビーズと；
b）第3の発光標識および第4の発光標識を含む第2のビーズと；
c）該第1のビーズを受容可能な第1の透明チャネルおよび該第2のビーズを受容可能な第2の透明チャネルと；
d）発光標識からの電磁放射を検出するための機器
とを含む、検出システム。
【請求項１１】
第1の発光標識および第2の発光標識が蛍光量子ドットである、請求項10記載のシステム。
【請求項１２】
第1の発光標識および第3の発光標識が同じ標識であり、第2のビーズの内部のビーズあたりの第3の蛍光標識が、第1のビーズの内部の第1の蛍光標識のビーズあたりの濃度よりも低い濃度である、請求項10記載のシステム。
【請求項１３】
共有壁が第1の透明チャネルおよび第2の透明チャネルを分離している、請求項10記載のシステム。
【請求項１４】
第1の透明チャネルおよび第2の透明チャネルが正方形の断面を含む、請求項10記載のシステム。
【請求項１５】
電磁放射を検出するための機器が電荷結合素子を含む、請求項10記載のシステム。
【請求項１６】
電磁放射の供給源をさらに含む、請求項10記載のシステム。
【請求項１７】
電磁放射の供給源がレーザーである、請求項16記載のシステム。
【請求項１８】
発光コード化ビーズを生成する方法であって、以下の工程を含む方法：
a）i）複数の第1の発光粒子
ii）複数の第2の発光粒子、および
iii）複数の多孔質構造；
iv）第1の複数のウェルであって、ここで
該第1の発光粒子は該ウェル中にあり、少なくとも2つのウェルの中で異なる濃度を有する、ウェル；
v）複数の第2のウェルであって、
ここで、該第2の発光粒子は該ウェル中にあり、少なくとも2つのウェルの中で異なる濃度を有する、ウェル
を供給する工程；
b）該第1の発光粒子が多孔質構造によって吸収されるような条件下で、複数の多孔質構造の一部を該第1の複数のウェルに分配する工程；
c）該第1の複数のウェルから、該第1の発光粒子を有する該複数の多孔質構造を抽出する工程；
d）抽出した複数の多孔質構造を該第1の発光粒子と一緒に混合して、少なくとも2つの該多孔質構造が異なる濃度の該第1の発光粒子を有する複数の多孔質構造を形成する工程；
e）該第2の発光粒子が多孔質構造によって吸収されるような条件下で、少なくとも2つの該多孔質構造が異なる濃度の該第1の発光粒子を有する該複数の多孔質構造を、該第2の複数のウェルに分配する工程；
f）該第2の複数のウェルから、該第1の発光粒子および該第2の発光粒子を有する該複数の多孔質構造を抽出する工程；
g）該複数の多孔質構造を、該第2の複数のウェルから抽出される該第1の発光粒子および該第2の発光粒子と一緒に混合して、少なくとも2つの該多孔質構造が異なる濃度の該第1の発光粒子を有し、および異なる濃度の該第2の発光粒子を有する複数の多孔質構造を形成する工程。
【請求項１９】
第1の発光粒子が量子ドットである、請求項18記載の方法。
【請求項２０】
第2の発光粒子が量子ドットであり、第1の量子ドットおよび第2の量子ドットが異なるサイズを有する、請求項18記載の方法。
【請求項２１】
多孔質構造がメソ多孔質シリカビーズである、請求項18記載の方法。
【請求項２２】
多孔質構造がメソ多孔質ポリスチレンビーズである、請求項18記載の方法。
【請求項２３】
第1の複数のウェルに複数の多孔質構造の一部を分配するための条件が、第1の複数の粒子を有する多孔質構造を飽和しない、請求項18記載の方法。
【請求項２４】
第2の発光粒子および第3の発光粒子がウェル中にあり、少なくとも2つのウェル中で異なる濃度を有する、複数の第3の発光粒子をさらに供給し、ならびに、複数の多孔質構造を、第2の複数のウェルから抽出される第1の発光粒子、第2の発光粒子、および第3の発光粒子と一緒にさらに混合して、少なくとも3つの多孔質構造が、該第1の発光粒子、該第2の発光粒子、および該第3の発光粒子の異なる濃度の組み合わせを有する複数の多孔質構造を形成する、請求項18記載の方法。
【請求項２５】
対象の真正性を決定する方法であって、以下の工程を含む方法：
a）i）複数の発光コード化ビーズを含む対象であって、
ここで、該コード化ビーズが、発光シグネチャを供給するように構成された2つまたはそれ以上の発光マーカーを含む、対象、
ii）電磁放射、および
iii）電磁放射を検出するための機器
を供給する工程；
b）量子ドットが発光するような条件下で、該対象を該電磁放射中に配置する工程、ならびに
c）該機器を用いて該発光シグネチャを検出する工程；ならびに
d）該対象の真正性と、発光シグネチャを相関させる工程。
【請求項２６】
対象が、個人身分証明カード、現金、液体、固体、および繊維からなる群より選択される、請求項25記載の方法。
【請求項２７】
電磁放射が紫外光である、請求項25記載の方法。
【請求項２８】
発光マーカーが量子ドットである、請求項25記載の方法。
【請求項２９】
チャネルを通してビーズを移動させる方法であって、以下の工程を含む方法：
a）以下を供給する工程：
i）第1の発光標識および第2の発光標識を含むビーズ、
ii）チャネル、
iii）該ビーズが溶液の内部にある、該チャネルの内部の溶液、
iv）電極対；ならびに
b）該ビーズが該チャネル中で該電極対の1つの電極に向かって移動するような条件下で、該電極対間に電位を印加する工程。
【請求項３０】
ビーズがポリスチレンビーズである、請求項29記載の方法。
【請求項３１】
第1の発光標識および第2の発光標識が量子ドットである、請求項29記載の方法。
【請求項３２】
ビーズが電荷を有する、請求項29記載の方法。
【請求項３３】
ビーズがカルボキシル官能基化表面を有する、請求項32記載の方法。